(57)【特許請求の範囲】
【請求項１】
球技用屋外の空間部の外周縁に沿って立設された複数本の支柱と、該支柱間に吊り張りされた防球ネットとから構成された防球用等のネットにおいて、前記支柱の下方側には該支柱の空間部側に略垂直方向に取り付けられ角度調整可能な補助支持体と、該補助支持体を介して下方側に弛んだ状態で取り付けられたキャッチネット体とで構成されたキャッチネットが取り付けられていることを特徴とする防球用ネット。
【請求項２】
球技用屋外空間部の外周縁に沿って複数本の支柱を立設し、該支柱間に防球用ネットを吊り張りすることで構成される防球用ネットの形成方法において、前記支柱の下方側には該支柱の空間部側に補助支持体を略垂直方向に取り付けるとともに、その長さ調整及び角度調整を行なった後、前記補助支持体を介してキャッチネット体を下方側に弛んだ状態で取り付けることで、キャッチネットを形成することを特徴とする防球用ネットの形成方法。
【発明の詳細な説明】
【技術分野】
【０００１】本願発明は、球技場の外周縁に沿って設置されている防球ネットに練習、又は試合等で当接する球を、安全に集球することのできる防球用ネット、及び該防球用ネットの形成方法に関する。
【背景技術】
【０００２】従来、防球用ネットは、野球場、及び野球の練習場の外周縁には沿って立設された複数本の支柱と、該支柱に取り付けられた防球ネットから構成され、該ネットに球が当接することで、屋外空間部より外への球の飛び出しを防止するのに使用する。【０００３】上記防球用ネットは、支柱に固定式、支柱に沿って昇降移動する移動式、又は固定式と移動式との組み合わせが用いられている。【０００４】固定式としては、支柱間の上端側に沿って横ロープを取り付け、該横ロープに防球ネットを取り付けることで、支柱間に防球ネットを吊り張り、又は支柱間の上下方向で複数本の横ロープを取り付け、該ロープに防球ネットを取り付けることで、支柱間に防球ネットを吊り張りする。【０００５】昇降式としては、支柱の上下方向に滑車を取り付け、該滑車間にウインチで駆動する昇降ロープを架け渡し、該昇降ロープに防球ネットの上端側を連結することで、前記支柱に沿って昇降移動することで、支柱間に防球ネットを吊り張りする。
【特許文献】特開平０６−１３４０７０号
【特許文献】特開平０６−２５４１９７号
【発明が解決しようとする課題】
【０００６】しかしながら上記従来の防球用ネットは、防球ネットが緊張した横ロープを介して支柱間に吊り張りされているために防球用ネットの吊り張り時のテンションが強く、防球ネットに当接した球の跳ね返りが強く、跳ね返った球が観客側に飛び込んだり、又はスピンの効いた状態で防球ネットに沿って下方側に移動し勢いがついた状態で落ちる等、観客への怪我等の原因になる欠点があった。
【０００７】特に、防球ネットが支柱間に固定された状態においては、防球ネットの吊り張りを維持するために強い状態で支柱方向に付勢されて取り付けられ、球が反発しやすく危険性が高いという欠点があった。
【０００８】また、高い支柱間に吊り張りされた防球ネットに当接した球は高い位置より下方側に落ちてくるために、より危険性が高いという欠点があった。
【０００９】そこで、本願発明は防球ネットに当接した球を安全に集球することができ、観客への球の当接を防止できる安全性に富んだ防球用ネット、及び防球用ネットの形成方法を提供することを課題とする。
【課題を解決するための手段】
【００１０】上記課題を解決する手段としての防球用ネットは、請求項１に記載のように、球技用屋外空間部の外周縁に沿って立設された複数本の支柱と、該支柱間に吊り張りされた防球用ネットとから構成された防球用ネットにおいて、前記支柱の下方側には該支柱の空間部側に略垂直方向に取り付けられ角度調整可能な補助支持体と、該補助支持体を介して下方側に弛んだ状態で取り付けられたキャッチネット体とで構成されたキャッチネットが取り付けられていることを特徴とする。
【００１１】また、上記課題を解決する手段としての防球用ネットの形成方法は、請求項２に記載のように、球技用屋外空間部の外周縁に沿って複数本の支柱を立設し、該支柱間に防球用ネットを吊り張りすることで構成される防球用ネットの形成方法において、前記支柱の下方側には該支柱の空間部側に補助支持体を略垂直方向に取り付けるとともに、その長さ調整及び角度調整を行なった後、前記補助支持体を介してキャッチネット体を下方側に弛んだ状態で取り付けることで、キャッチネットを形成することを特徴とする。
【発明の作用効果】
【００１２】次に、本願発明の防球用ネット及び防球用ネットの形成方法の作用効果について、説明する。
【００１３】先ず、請求項１の防球用ネットの作用効果について説明する。
【００１４】球技用屋外空間部の外周縁に沿って立設された各支柱に防球ネットを取り付けることで、支柱間に防球ネットを吊り張りする。
【００１５】次に、前記防球ネットの下方側で空間部側に略垂直方向に補助支持体を取り付け、その角度調整を行なった後、前記補助支持体を介してキャッチネット体を下方側が弛んだ状態で取り付けることで、キャッチネットを構成する。
【００１６】これにより、防球ネットに当接した球が下方側に転がってキャッチネットで受け止められ、容易に球を集球でき、防球ネットの近くの観客等の安全性を確保することができる。
【００１７】また、キャッチネットが所望幅で支柱に取り付けられているために、的確に当接する球を集球できる。
【００１８】次に、請求項２の防球用ネットの形成方法の作用効果について説明する。
【００１９】先ず、球技用屋外空間部の外周縁に沿って複数本の支柱を所望の間隔で立設し、該支柱に防球ネットを取り付けることで、前記支柱間に沿って防球ネットを吊り張りする。
【００２０】その後、前記支柱の空間部側に補助支持体を略垂直方向に取り付けるとともに、その長さ調整及び角度調整を行なった後、前記補助支持体を介してキャッチネット体を下方側に弛んだ状態で取り付けることで、キャッチネットを形成する。
【００２１】前記キャッチネットは所望幅で支柱に取り付けられているために、防球ネットに当接した球を確実に集球することができる。
【００２２】また、前記キャッチネットを防球ネットと一体的に形成することで、キャッチネットの形成工程が容易であり、又は取り外し工程も容易である。
【００２３】また、前記キャッチネットを防球ネットと別体として形成することで、キャッチネットの取り付け工程が容易であり、又取り外し工程も容易である。
【００２４】このように、本発明の防球用ネット、及び防球用ネットの形成方法は、防球ネットに当接した球を安全に、且つ確実に集球しキャッチネットにキャッチすることができ、観客等にネットに当接した球が当たるのを防止することができ、安全性を確保することができる。
【００２５】また、キャッチネットの取り付けが容易であり、作業効率を向上することができる。
【発明を実施するための最良の形態】
【００２６】本願発明の防球用ネット、及び該防球用ネットの形成方法について説明する。【００２７】本発明の防球用ネット、及び該防球用ネットの形成方法を図示する各図面について説明する。【００２８】図１は本願発明の防球用ネットの一実施例を示す概略説明側面図であり、図２は図１の防球用ネットを示す概略説明平面図であり、図３、図４、図５はキャッチネットの他実施例を示す概略説明側面図であり、図６は本願発明の防球用ネットの形成方法を示すフローチャートである。【００２９】本願発明の防球用ネット、及び該防球用ネットの形成方法の一実施例について図面を用いて説明する。【００３０】本願発明の防球用ネット１は、屋外空間部Ｋの外周縁に沿って立設された複数本の支柱２と、該支柱２間に沿って吊り張りされた防球ネット３とからなる基本構成に、さらに前記防球ネット３の下方側に、前記支柱２間に沿って略に垂直方向（支柱２の立設方向に対して垂直方向に）設けられたキャッチネット５が形成された構成である。【００３１】前記キャッチネット５は、前記各支柱２の屋内空間部Ｋ側に延出すべく略垂直方向に取り付けられた補助支持体６に沿ってキャッチネット体７を下方側に弛んだ状態で取り付けることで、構成されている。【００３２】前記補助支持体６の長さは、固定式の場合は複数本の長さの相違する補助支持体６を準備し、又は調整式の場合は垂直方向に沿って補助支持体６を伸縮して調整する。【００３３】又、補助支持体６の垂直方向への角度は、集球の効率に応じてその角度調整（支柱２の立設方向に対する）を自在に調整すべく支柱２の取り付け部分に角度調整具（ネジ等で固定、複数の溝にはめ込む方式等）を取り付けることも可能である。【００３４】さらに、補助支持体６の支柱２への取り付けは、支柱２に穿孔された孔（図示せず）に嵌入して取り付け、又は別体の係止環（図示せず）を支柱２に外周に沿って係止することで、取り付けることも可能である。【００３５】又、前記キャッチネット５は、上記実施例のように、防球ネット３と別体のキャッチネット体７を用いて形成したが、本発明においてキャッチネット体７の形成は上記実施例に限定されるものでなく、前記防球ネット３と一体的に形成することも可能である。【００３６】即ち、防球ネット３の上端側は同様に固定用ロープ１０に取り付け、下端側を袋状にして補助支持体６に連結することで、前記防球用ネット３と一体的にキャッチネット６を形成することも可能である。この場合、キャッチネット６の下方側には、下部防球用ネット３Ｂが吊り張りされている。【００３７】前記防球用ネット４は、実施例では支柱２間に固定方式で取り付けられている。【００３８】即ち、別体固定用ロープ１０を支柱２間の上方側（上部固定用ロープ１０Ａ）及び下方側（下部固定用ロープ１０Ｂ）にそれぞれ架け渡し、緊張した状態で各支柱２に固定した後、該固定用ロープ１０に防球ネット体４を取り付けることで、防球ネット３を支柱２間に吊り張りする。【００３９】この際、防球ネット３は防球効果を高めるべく緊張した状態を調整しながら吊り張りする。【００４０】尚、防球ネット３の支柱２への取り付けは、上記固定方式に限定されるものでなく、移動方式とすることも可能である。移動方式としては、支柱２の上下方向に沿ってウインチで駆動する駆動用ロープ（図示せず）と、該駆動用ロープに上端側を連結した防球ネット３とから構成され、前記駆動用ロープを昇降移動することで防球ネット３を上下方向移動し吊り張りする。【００４１】前記支柱２は、地上部分の上部支柱２Ａと、地中部分に埋設する下部支柱２Ｂとから構成され、前記下部支柱２Ｂには固定用の基礎部分（羽根等）が形成されている。【００４２】上記のように、本発明の防球用ネット１は構成され、次に、該防球用ネット１を野球場等の屋外空間部に形成する場合について説明する。【００４３】先ず、野球場等の屋外空間部の外周縁に沿って、等間隔で複数個の孔を穿孔し、該孔に支柱２の下部支柱２Ｂを埋設することで複数本の支柱２を所望の間隔（支柱の構造、例えば、コンクリートポールより鋼鉄製ポールの方が間隔を広くする）で立設する。【００４４】次に、上部固定用ロープ１０Ａを前記支柱２間に沿って緊張した状態で上方側に架け渡し、下部固定用ロープ１０Ｂを前記支柱２間に沿って緊張した状態で下方側に沿って架け渡す。【００４５】そして、前記各固定用ロープ１０Ａ、１０Ｂに沿って防球ネット体４を取り付けることで、支柱２間に防球ネット３を吊り張りする。【００４６】次に、前記支柱２の下端側には支柱２の立設方向に対して略垂直方向になるように補助支持体６を取り付ける。尚、前記補助支持体６の長さ、支柱２に取り付ける上下方向の位置は球場等の形状、防球ネット３の取り付け位置、及び防球ネット３の高さ位置に応じて調整する。【００４７】即ち、防球ネット３の高さ位置が高い場合は、補助支持体６を長く、支柱２の下端側よりやや高めの位置に取り付け、防球ネット３の高さ位置が低い場合は、補助支持体６を短く、支柱２の下端側に取り付ける。【００４８】さらに、調整が必要な場合は、補助支持体６の支柱２への取り付け角度を調整することで、集球効果を向上することができる。【００４９】この状態で使用すると、防球ネット３に当接した球は防球ネット３の調整された緊張した状態の吊り張りで、跳ねることなく防球ネット３に沿って下方側に移動することとなり、下降した球はキャッチネット６部分でキャッチされることとなり集球効果を向上することができ、防球ネット３の下方側で観戦する人にとって安全に観戦することができる。【００５０】また、防球ネット３を自在に緊張した状態で支柱２に取り付けでき、従来のような微調整を必要としない。
【図面の簡単な説明】
【００５１】
【図１】本願発明の防球用ネットの一実施例を示す概略説明側面図
【図２】図１の防球用ネットを示す概略説明平面図
【図３】キャッチネットの他実施例を示す概略説明側面図
【図４】キャッチネットの他実施例を示す概略説明側面図
【図５】キャッチネットの他実施例を示す概略説明側面図
【図６】本願発明の防球用ネットの形成方法を示すフローチャート
【符号の説明】
【００５２】１−防球用ネット、２−支柱、３−防球ネット、５−キャッチネット、６−補助支持体、
【要約】
【課題】安全に防球用ネットを設置することができ、また、ネットに当接した球を確実にキャッチすることのできる防球用ネット及び防球用ネットの形成方法を提供することを課題とする。
【解決手段】球技用屋外空間部の外周縁に沿って立設された複数本の支柱と、該支柱間に吊り張りされた防球ネットとから構成された防球用ネットにおいて、前記支柱の下方側には該支柱の立設方向に対して略垂直方向に沿って所望幅で前記防球ネットに当接した球を集球するキャッチネットが取り付けられている。
【選択図】図１【図１】
0005950241.tif 000002
【図２】
0005950241.tif 000003
【図３】
0005950241.tif 000004
【図４】
0005950241.tif 000005
【図５】
0005950241.tif 000006
【図６】
0005950241.tif 000007